(57)【要約】  本発明は、特に建物の照明制御ネットワークなどの無線ホームコントロールネットワークである無線ネットワークの各装置のリセットに関する。本発明の課題は、無線ネットワークの各装置をリセットする改良された方法及びシステム並びに改良された無線ネットワーク装置を提供することである。本発明の実施例によると、無線リモート装置によりオール無効リセット信号が送出され、無線リモート装置の所定の範囲内にある無線ネットワークの装置によってオール無効リセット信号が受信されるかもしれない。オール無効リセット信号を受信した装置は、工場デフォルトに設定することによってリセットするかもしれない。これにより、無線ネットワーク装置が、装置のボタンを押下することなくリセットされるかもしれない。
2010514320.tif 000002
【特許請求の範囲】
【請求項１】
無線ネットワークの装置をリセットする方法であって、
無線リモート装置によりオール無効リセット信号を送出するステップと、
前記無線リモート装置の所定の範囲内にある前記無線ネットワークの装置によって前記オール無効リセット信号を受信するステップと、
前記オール無効リセット信号を受信した装置を、工場デフォルトに設定することによってリセットするステップと、
を有する方法。
【請求項２】
前記オール無効リセット信号は、前記無線リモート装置による所定のコマンドの受信に応答して送出される、請求項１記載の方法。
【請求項３】
前記所定のコマンドは、前記無線リモート装置の特定のボタンを押下するか、又は前記無線リモート装置に特定のコードを入力することによって、生成される、請求項２記載の方法。
【請求項４】
前記オール無効リセット信号は、前記無線ネットワークのリセット対象の特定の装置を選択することによって用意される、請求項１乃至３何れか一項記載の方法。
【請求項５】
前記オール無効リセット信号は、前記無線ネットワークのリセット対象の装置の識別子を含む、請求項４記載の方法。
【請求項６】
前記オール無効リセット信号を受信した各装置は、前記オール無効リセット信号に含まれる識別子をチェックし、
前記識別子によりアドレス指定された装置は、リセット処理が開始されることを通知するため、前記無線リモート装置に応答信号を送出し、
前記装置は自らのリセットする、請求項５記載の方法。
【請求項７】
前記装置は、
動作パラメータを含む内部メモリをリセットし、
自らを再スタートし、
起動時にリセットされたことを検出し、
所定の動作パラメータセットを前記内部メモリにロードすることによって前記工場デフォルトを設定する、
ことによって、自らをリセットする、請求項６記載の方法。
【請求項８】
コンピュータによる実行時、請求項１乃至７記載の方法を実行することを可能にするコンピュータプログラム。
【請求項９】
請求項８記載のコンピュータプログラムを格納する記録キャリア。
【請求項１０】
請求項１乃至７何れか一項記載の方法を実行するようプログラムされ、前記ネットワークの特定の装置にオール無効リセット信号を送出するよう構成される無線通信モジュールを有するコンピュータ。
【請求項１１】
無線ネットワークの各装置をリセットするシステムであって、
オール無効リセット信号を送出するよう構成される無線リモート装置と、
前記オール無効リセット信号を受信し、前記オール無効リセット信号を受信すると、工場デフォルトに設定することによって、自らをリセットするよう構成される前記無線ネットワークの少なくとも１つの装置と、
を有するシステム。
【請求項１２】
請求項１乃至７何れか一項記載の方法を実行するよう構成される、請求項１１記載のシステム。
【請求項１３】
無線リモート照明コントローラにより制御可能な複数の無線照明装置を有する照明システムに適用される、請求項１１又は１２記載のシステム。
【請求項１４】
請求項１乃至７何れか一項記載の方法に従って無線ネットワークの各装置をリセットするよう構成され、
オール無効リセット信号を用意するよう構成されるコントローラと、
前記オール無効リセット信号を送出するよう前記コントローラにより制御される送受信機と、
を有する無線リモート装置。
【請求項１５】
起動中にネットワーク検出ビーコンを送出し、
無線ネットワーク装置からの応答を待機し、
最初のネットワーク検出ビーコンを送出した後の所定期間内に応答を受信しなかった場合、自らをリセットする、
よう構成される、特に無線照明装置である無線ネットワーク装置。
【請求項１６】
複数のネットワーク検出ビーコンを定期的に送出するよう構成される、請求項１５記載の装置。
【請求項１７】
前記所定の期間内に無線ネットワーク装置から応答を受信した場合、前記リセット処理を中止するよう構成される、請求項１５又は１７記載の装置。
【請求項１８】
請求項１１乃至１３何れか一項記載のシステムに適用され、オール無効リセット信号を受信し、前記オール無効リセット信号を受信すると自らをリセットするよう構成される、請求項１５乃至１７何れか一項記載の装置。
【発明の詳細な説明】
【技術分野】
【０００１】
本発明は、建物の照明制御ネットワークなど、特に無線ホームコントロールネットワークの無線ネットワークの装置のリセットに関する。
【背景技術】
【０００２】
無線ホームコントロールネットワークなどの無線ネットワークがますます普及してきている。ルータや無線アクセスポイントなどのこれらのネットワークの各装置は、通常はソフトウェアを有しており、各装置の“工場設定”に戻すため、ボタンを押下することによってリセットされるかもしれない。しかしながら、ボタンを押下することによって照明システムのホットランプなどの特別な動作状態を有する装置又はアクセス不可な位置にあるネットワーク装置によってリセットすることは困難であるかもしれない。さらに、複雑な照明システムの電気ランプは、電気ショックや電気ランプにより発生する熱による燃焼の危険のため、リセットボタンを全く有しないことがしばしばある。出願番号２００１−２４３０９７のＪＰ２００３−０５９６７３の“日本の特許要約”文献は、マイクロコンピュータの通常ルーチンの動作不可能性のケースと同様に、遠隔制御された照明ユニットがパワーオンリセット状態にないとき、“工場設定”に戻るため自動的にリセットされる遠隔制御照明ユニットを開示している。すなわち、マイクロコンピュータが動作を停止するとき、それは、監視タイマーにより自動的にリセットされる。
【発明の概要】
【発明が解決しようとする課題】
【０００３】
本発明の課題は、無線ネットワークの各装置をリセットする改良された方法及びシステム並びに改良された無線ネットワーク装置を提供することである。
【課題を解決するための手段】
【０００４】
上記課題を達成するため、本発明は、無線ネットワークの装置をリセットする方法であって、無線リモート装置によりオール無効リセット信号を送出するステップと、前記無線リモート装置の所定の範囲内にある前記無線ネットワークの装置によって前記オール無効リセット信号を受信するステップと、前記オール無効リセット信号を受信した装置を、工場デフォルトに設定することによってリセットするステップと、を有する方法を提供する。
【０００５】
オール無効リセット信号の送出はリモート制御のみに限定されず、他の装置によっても可能であることに留意すべきである。“無線リモート装置”という用語は、無線ネットワークのオール無効リセット信号を送出可能な任意の装置を含む。
【０００６】
上記課題を達成するため、本発明は、無線ネットワークの各装置をリセットするシステムであって、オール無効リセット信号を送出するよう構成される無線リモート装置と、前記オール無効リセット信号を受信し、前記オール無効リセット信号を受信すると、工場デフォルトに設定することによって、自らをリセットするよう構成される前記無線ネットワークの少なくとも１つの装置と、を有するシステムを提供する。
【０００７】
上記課題を達成するため、本発明はさらに、起動中にネットワーク検出ビーコンを送出し、無線ネットワーク装置からの応答を待機し、最初のネットワーク検出ビーコンを送出した後の所定期間内に応答を受信しなかった場合、自らをリセットする、よう構成される、特に無線照明装置である無線ネットワーク装置を提供する。
【０００８】
本発明による特徴的構成は、無線照明システムのランプなどの無線ネットワークの装置が、装置のボタンを押下することなくリセット可能であるという効果を提供する。このため、本発明は、照明システムの熱のあるリモート制御（ＲＣ）ランプやアクセス不可な位置にある装置など、直接触れることが困難又は危険な装置をリセットするのに特に適している。また、装置をリセットするためのボタンが不要であり、このため、本発明は、ボタンのないランプ設計など、無線ネットワーク装置の美的デザインを有することを可能にする。本発明は、すべての無線ホーム制御システム、特に無線照明システムに適している。
【０００９】
ここで使用される“装置のリセット”とは、装置又は装置の設定を工場デフォルトに設定することを意味する。“工場デフォルト”という用語は、装置が工場から離れるときの装置の設定を意味する。例えば、それは、装置の埋め込みソフトウェアの所定のパラメータセットなど、特定の標準的な設定を意味するかもしれない。パラメータセットは、特定の標準的なネットワークアドレスなどの所定の標準的なネットワーク接続設定を含むかもしれない。このため、装置が本発明によりリセットされると、それは“工場新規”とされる。“工場新規”という用語は、特に装置のソフトウェアをリセットすること、すなわち、それが再び新たなパーツとなるようなネットワークパーツを特に意味する。
【００１０】
“無線”という用語は、ＺｉｇＢｅｅＴＭ規格などによる無線伝送を特に含むが、それは無線伝送に制限されない。原則的には、光通信などの他の無線伝送技術がまた本発明により利用可能である。
【００１１】
ここに使用される“オール無効リセット信号”とは、高い優先度を有する信号、すなわち、ネットワーク装置の動作を制御するためなどに他の信号を無効にする信号を意味する。オール無効リセット信号は、例えば、標準的な制御信号より高い出力電力によって無線リモート装置により送出されてもよいし、又は例えば、それの高い優先度を示すフラグなどを有してもよい。オール無効リセット信号は、無線ネットワークにおいて有利に処理されるあるタイプの優先的な信号としてみなされてもよい。
【００１２】
本発明の実施例によると、オール無効リセット信号は、無線リモート装置による所定のコマンドの受信に応答して送出されてもよい。例えば、所定のコマンドは、無線リモート装置の特定のボタンを押下することによって、又は無線リモート装置に特定のコードを入力することによって、生成されてもよい。このため、ユーザは、連続的に押下された複数のボタンの組み合わせなど、無線リモート装置のボタンを単に押下することによって、又は無線リモート装置にコードを入力することによって、無線ネットワークの各装置を快適にリセットするかもしれない。
【００１３】
オール無効リセット信号は、当該オール無効リセット信号を送信するある無線リモート装置のある範囲内のすべての無線ネットワーク装置をリセットするあるタイプのブロードキャスト信号であってもよい。しかしながら、本発明の実施例によると、オール無効リセット信号はまた、無線ネットワークのリセット対象の特定の装置を選択することによって用意されてもよい。この場合、オール無効リセット信号は、無線リモート装置から無線ネットワークの選択された装置に送信されるあるタイプのユニキャスト信号であってもよい。このため、ユーザは、無線ネットワークの特定の装置を明示的にリセットするかもしれない。
【００１４】
特に、本発明のさらなる実施例によると、オール無効リセット信号は、無線ネットワークのリセット対象の装置の識別子を含むかもしれない。この識別子は、例えば、リセット対象の装置のネットワークアドレスであってもよいし、又は“つりランプ”、“ランプ１”又は“ウォールライト２”など、無線ネットワークにおけるネットワーク名であってもよい。リセット対象の装置は、例えば、無線ネットワークのすべての装置の名前を示す無線リモート装置のディスプレイなどを介してこの名前を選択し、ディスプレイを介し選択ボタンを押下することによってリセット対象の装置を選択することによって、ユーザにより選択されてもよい。
【００１５】
本発明の実施例によると、本方法はさらに、リセット対象の装置を検出し、検出した装置をリセットするため、前記オール無効リセット信号を受信した各装置は、前記オール無効リセット信号に含まれる識別子をチェックし、前記識別子によりアドレス指定された装置は、リセット処理が開始されることを通知するため、前記無線リモート装置に応答信号を送出し、前記装置は自らのリセットしてもよい。
【００１６】
例えば、無線リモート装置を介しリセット対象の装置を選択し、オール無効リセット信号を送出した後、オール無効リセット信号を受信した各装置は、それがアドレス指定されているかチェックする。アドレス指定された装置は、例えば、“ランプ１がリセットされている。待機せよ”などの特定のテキストメッセージを表示することによって、又は点滅する光によって、無線リモート装置により表示可能な応答信号を無線リモート装置に送信する。これは、リセット処理のより良好な概観をユーザに提供し、ユーザが無線ネットワークをより良好に制御することを可能にする。
【００１７】
本発明の実施例によると、本装置は、動作パラメータを含む内部メモリをリセットし、自らを再スタートし、起動時にリセットされたことを検出し、所定の動作パラメータセットを前記内部メモリにロードすることによって前記工場デフォルトを設定することによって、自らをリセットしてもよい。
【００１８】
所定の動作パラメータセットは、例えば、装置の内部ＲＯＭ（Ｒｅａｄ  Ｏｎｌｙ  Ｍｅｍｏｒｙ）に格納されてもよく、典型的には、明るさや色など、ＲＣランプの場合にはユーザにより以降に上書き可能な特定の工場新規動作パラメータを含むかもしれない。
【００１９】
本発明の実施例によると、コンピュータによる実行時、本発明による方法を実行することを可能にするコンピュータプログラムが提供される。さらに、本発明の実施例は、本発明によるコンピュータプログラムを格納する記録キャリアを提供する。
【００２０】
本発明のさらなる実施例によると、本発明による方法を実行するようプログラムされ、前記ネットワークの特定の装置にオール無効リセット信号を送出するよう構成される無線通信モジュールを有するコンピュータが提供される。
【００２１】
本発明の実施例によるシステムでは、無線リモート装置が、本発明による方法を実行するよう構成されてもよい。さらに、本システムは、無線リモート照明コントローラにより制御可能な複数の無線照明装置を有する照明システムにおいて適用されてもよい。
【００２２】
本発明のさらなる実施例は、本発明による方法に従って無線ネットワークの各装置をリセットするよう構成され、オール無効リセット信号を用意するよう構成されるコントローラと、前記オール無効リセット信号を送出するよう前記コントローラにより制御される送受信機と、を有する無線リモート装置に関する。
【００２３】
無線リモート装置は、例えば、ライトをオン及びオフに切り換え、ライトを暗くし、照明システムのさらなるパラメータを変更するなど、無線照明システムが制御可能な無線照明コントローラなどであってもよい。無線照明コントローラは、特にＺｉｇＢｅｅＴＭなど、無線周波数を介し無線照明装置と通信するよう構成されてもよい。
【００２４】
本発明の実施例によると、無線ネットワーク装置はさらに、複数のネットワーク検出ビーコンを定期的に送出するよう構成されてもよい。
【００２５】
本発明の実施例によると、本装置は、所定の期間内に無線ネットワーク装置から応答を受信した場合、リセット処理を中止してもよい。
【００２６】
最後に、本発明の実施例は、本発明によるシステムに適用され、オール無効リセット信号を受信し、オール無効リセット信号を受信すると、自らをリセットするよう構成される無線ネットワーク装置、特に無線照明装置に関する。例えば、無線ネットワーク装置は、無線照明システムのＲＣランプであってもよい。この無線照明システムは、上述されるような無線照明コントローラにより制御可能な複数のＲＣランプのネットワークを有する。しかしながら、無線ネットワーク装置は、無線メディアサーバや何れかの無線家電機器などの無線ホーム制御ネットワークの何れかのネットワーク装置であってもよい。
【００２７】
本発明の上記及び他の態様は、後述される実施例を参照して明らかになるであろう。
【００２８】
本発明は、実施例を参照して以下で詳細に説明される。しかしながら、本発明は、これらの実施例に限定されるものでない。
【図面の簡単な説明】
【００２９】
【図１】図１は、本発明による無線ネットワークの各装置をリセットする方法の第１実施例のフローチャートを示す。
【図２】図２は、本発明による無線ネットワークの各装置をリセットする方法の第２実施例のフローチャートを示す。
【図３】図３は、本発明による無線ネットワークの各装置を選択するシステムの実施例を示す。
【発明を実施するための形態】
【００３０】
本発明が、一例となる無線ホーム照明制御システムにより説明される。この照明制御システムは、ＲＦ通信手段を有するいくつかの照明装置を有する。これらの照明装置は、無線照明リモートコントローラなどの無線リモート装置と通信するため、ＺｉｇＢｅｅＴＭなどを利用して、無線制御ネットワークに統合される。本発明は、ユーザが無線照明リモートコントローラのみによってネットワークの特定の照明装置をリセットすることを可能にする。無線照明リモートコントローラは、例えば、テレビ装置のリモートコントローラと同様の独立した装置などとして実現されてもよいが、無線照明装置と通信可能にするため、無線通信モジュールを有するパーソナルコンピュータ（ＰＣ）により実行可能なソフトウェアにより実現されてもよい。
【００３１】
図３は、無線照明リモートコントローラ１０と、３つの無線照明装置１２，１４，１６と、選択ボタン２４（棒状のものに搭載された選択ボタンと同様に、特定の照明装置を選択することを可能にするため、“魔法の棒のボタン（ｍａｇｉｃ  ｗａｎｄ  ｂｕｔｔｏｎ）”とも呼ばれる）とを有する無線ホーム照明制御システムのブロック図を示す。特定の無線照明装置１２，１４又は１６が、選択ボタン２４と無線照明リモートコントローラ１０とを介し選択される。特定の装置１６が選択されると、無線照明リモートコントローラ１０は、コントローラ１０のボタン２０をそれの無線ＲＦ通信モジュールを介し押下することによって、オール無効リセット信号（ａｌｌ  ｏｖｅｒｒｕｌｅｄ  ｒｅｓｅｔ  ｓｉｇｎａｌ）１８を送出するかもしれない。このオール無効リセット信号１８は、選択された無線照明装置１６のネットワークアドレスを有し、所定の出力電力により送出され、リセットされる装置の範囲を決定する。典型的には、出力電力は、コントローラ１０からの距離が短い装置のみリセットされるように選択される。この範囲は、図３において破線２６により示される。図示された状況では、無線照明装置１２は範囲２６の外部にあり、このため、オール無効リセット信号１８を受信しない。しかしながら、範囲２６の境界にある装置１４，１６は、オール無効リセット信号１８を受信し、オール無効リセット信号に含まれるアドレスのチェックを開始する。装置１６は、オール無効リセット信号１８がそれのネットワークアドレスを有し、それがリセット処理を起動することをコントローラ１０に通知する“リーブ（ｌｅａｖｅ）”メッセージを含む信号２２によって、受信したオール無効リセット信号１８に応答する。次のステップでは、装置１６は、装置１６の複数の動作パラメータを含む内部のＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）をリセットし、自らを再スタートさせる。起動時、装置１６は、それがリセットされたことを検出し、内部ＥＥＰＲＯＭの内部のＲＯＭ（Ｒｅａｄ  Ｏｎｌｙ  Ｍｅｍｏｒｙ）からロードすることによって、工場デフォルトを設定する。これにより、装置１６は“工場新規”状態にリセットされる。
【００３２】
図１は、図３に示されるような照明システムの無線照明リモートコントローラ１０からのオール無効リセット信号の受信後のランプのリセット処理のフローチャートを示す。無線照明リモートコントローラ１０は、魔法の杖の機能によってランプを選択する。ランプが選択され、コントローラ１０の特定のボタンが押下された場合、リモートコントロールは、データとしてランプのショートアドレスを含むオール無効リセットコマンドをランプに送信する。Ｓ１０のアイドル状態にあるランプは、メッセージを受信し、メッセージが実際にそれを意図したものである場合、メッセージのショートアドレスをチェックする（ステップＳ１２）。ショートアドレスが正しくない場合、ランプはアイドル状態Ｓ１０に留まり、コントローラ１０にアドレス指定された“リーブ”メッセージを送出する。“リーブ”メッセージは、例えば、点滅するＬＥＤによって、又は“ランプ１０はリセット中”などを表示することによって、コントローラ１０により光学的に表示されてもよい。その後、ステップＳ１４において明るさや色などの動作パラメータを有するＥＥＰＲＯＭをリセットし、ステップＳ１６においてリセットされる。起動処理において、ランプはそれがリセットされたことを検出し、工場デフォルトを設定する（フローチャートに図示せず）。
【００３３】
図２は、無線照明リモートコントローラを使用しないランプのリセット処理を示す。このリセット処理は、起動処理中に、すなわち、パワーアップ後に開始される。Ｓ５０においてオフ状態にあるランプが起動されると（メインをオンすることによって）、それはまずステップＳ５２において、ＰＡＮ＿ＩＤ、すなわち、パーソナル・エリア・ネットワーク（ＰＡＮ）の識別子が、既存の無線照明制御ネットワークのメンバーであるか判断するため、設定されているかチェックする。ＰＡＮ＿ＩＤが設定されている場合、ランプは、ステップＳ５４において、それの無線照明制御ネットワークを検索し、当該ネットワークに参入するため、アプリケーションレベルにおいて“ネットワーク検出”ビーコンを送出する。ランプが既存のネットワークを検出した場合（ステップＳ５６）、すなわち、それがネットワークの他の装置から応答を取得した場合、それは、ステップＳ７０において、検索を中止し、それのＥＥＰＲＯＭから強度レベルを読み込み、ランプを設定する。このとき、ランプは再びアイドル状態となる（ステップＳ７２）。ステップＳ５６において、ネットワークが検出されない場合、ランプは、ステップＳ５８においてそれのＰＡＮ＿ＩＤをリセットし（それのＥＥＰＲＯＭをリセットする）、ステップＳ５２においてランプが何れのＰＡＮ＿ＩＤも設定されていないことを検出した場合にも入るステップＳ６０に続く。ステップＳ６０において、ランプは、リセット処理と新たなネットワークに参入する処理とを視覚的に表示するため、ゆっくりと点滅する。次のステップＳ６２において、ランプは、約１０秒間などＸＸ秒の所定の期間において新たなネットワークに参入することを試みる。このステップＳ６２において、ランプは、数秒後に最初の“ネットワーク検出”ビーコンを送出し、数秒のポーズ後にさらなるビーコンを送出する。従って、それは、最大で１０秒間ネットワークを検索し続ける。ステップＳ６４において、約１０秒間の期間中にランプが新たなネットワークに参入可能であるか、すなわち、それがビーコンを送出するためのネットワーク装置からの応答を受信したか又は受信しなかったか判断される。ランプが応答を受信し、これにより、ネットワークに参入可能である場合、当該処理はステップＳ７０に続く（上述）。そうでない場合、ランプは、ステップＳ６６において、自らを完全にオンに切り換えるよう設定し、すなわち、フル強度により点灯するよう設定する。これは、ランプが無線照明制御ネットワークに参入していないことを示す。次のステップＳ６８において、当該処理は終了する。
【００３４】
本発明は、大規模な建物又は少なくとも大きな部屋やホールに分散される複数の無線照明装置を有する複雑な照明システムなどをプログラムするための複雑な制御ソフトウェアを利用するよりはるかに快適な、装置のボタンを押下することなく無線ネットワーク装置をリセットするのに適している。さらに、無線ネットワーク装置上のリセットボタンが省かれてもよい。本発明は特に、無線リモートコントローラによって、スイッチオン、オフ又は明るさを落とすなどの制御可能な無線照明装置のネットワークを有する現在の照明システムにおける適用に適している。しかしながら、本発明はまた、ホームメディアネットワーク、家電機器ネットワーク、汎用ホーム制御ネットワークなどの他のネットワークに適用されてもよい。
【００３５】
本発明の機能の少なくとも一部は、ハードウェア又はソフトウェアにより実行されてもよい。ソフトウェアによる実現の場合、単一の又は複数の標準的なマイクロプロセッサ又はマイクロコントローラが、本発明を実現する単一の又は複数のアルゴリズムを処理するのに利用されてもよい。
【００３６】
“有する”という単語は他の要素又はステップを排除するものでなく、“ある”という単語は複数を排除するものでないことに留意すべきである。さらに、請求項の参照符号は、本発明の範囲を限定するものと解釈されるべきでない。
【図１】
2010514320.tif 000003
【図２】
2010514320.tif 000004
【図３】
2010514320.tif 000005
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
無線ネットワークの装置をリセットする方法であって、
無線リモート装置により、高い優先度を有し、他の信号を無効にするオール無効リセット信号を送出するステップと、
前記無線リモート装置の所定の範囲内にある前記無線ネットワークの装置によって前記オール無効リセット信号を受信するステップと、
前記オール無効リセット信号を受信した装置を、工場デフォルトに設定することによってリセットするステップと、
を有する方法。
【請求項２】
前記オール無効リセット信号は、前記無線リモート装置による所定のコマンドの受信に応答して送出され、
前記所定のコマンドは、前記無線リモート装置の特定のボタンを押下するか、又は前記無線リモート装置に特定のコードを入力することによって、特に生成される、請求項１記載の方法。
【請求項３】
前記オール無効リセット信号は、前記無線ネットワークのリセット対象の特定の装置を選択することによって用意され、特に前記無線ネットワークのリセット対象の装置の識別子を含む、請求項１又は２記載の方法。
【請求項４】
前記オール無効リセット信号を受信した各装置は、前記オール無効リセット信号に含まれる識別子をチェックし、
前記識別子によりアドレス指定された装置は、リセット処理が開始されることを通知するため、前記無線リモート装置に応答信号を送出し、
前記装置は自らのリセットする、請求項３記載の方法。
【請求項５】
前記装置は、
動作パラメータを含む内部メモリをリセットし、
自らを再スタートし、
起動時にリセットされたことを検出し、
所定の動作パラメータセットを前記内部メモリにロードすることによって前記工場デフォルトを設定する、
ことによって、自らをリセットする、請求項４記載の方法。
【請求項６】
コンピュータによる実行時、請求項１乃至５記載の方法を実行することを可能にするコンピュータプログラム。
【請求項７】
請求項６記載のコンピュータプログラムを格納する記録キャリア。
【請求項８】
請求項１乃至５何れか一項記載の方法を実行するようプログラムされ、前記ネットワークの特定の装置にオール無効リセット信号を送出するよう構成される無線通信モジュールを有するコンピュータ。
【請求項９】
無線ネットワークの各装置をリセットするシステムであって、特に無線リモート照明コントローラにより制御可能な複数の無線照明装置を有する照明システムであって、
高い優先度を有し、他の信号を無効にするオール無効リセット信号を送出するよう構成される無線リモート装置と、
前記オール無効リセット信号を受信し、前記オール無効リセット信号を受信すると、工場デフォルトに設定することによって、自らをリセットするよう構成される前記無線ネットワークの少なくとも１つの装置と、
を有するシステム。
【請求項１０】
請求項１乃至５何れか一項記載の方法を実行するよう構成される、請求項９記載のシステム。
【請求項１１】
請求項１乃至５何れか一項記載の方法に従って無線ネットワークの各装置をリセットするよう構成され、
オール無効リセット信号を用意するよう構成されるコントローラと、
前記オール無効リセット信号を送出するよう前記コントローラにより制御される送受信機と、
を有する無線リモート装置。
【請求項１２】
起動中にネットワーク検出ビーコンを送出し、
無線ネットワーク装置からの応答を待機し、
最初のネットワーク検出ビーコンを送出した後の所定期間内に応答を受信しなかった場合、自らをリセットする、
よう構成される、特に無線照明装置である無線ネットワーク装置。
【請求項１３】
複数のネットワーク検出ビーコンを定期的に送出するよう構成される、請求項１２記載の装置。
【請求項１４】
前記所定の期間内に無線ネットワーク装置から応答を受信した場合、前記リセット処理を中止するよう構成される、請求項１２又は１３記載の装置。
【請求項１５】
請求項９又は１０記載のシステムに適用され、オール無効リセット信号を受信し、前記オール無効リセット信号を受信すると自らをリセットするよう構成される、請求項１２乃至１４何れか一項記載の装置。
【手続補正２】
【補正対象書類名】明細書
【補正対象項目名】０００３
【補正方法】変更
【補正の内容】
【０００３】
本発明の課題は、無線ネットワークの各装置をリセットする改良された方法及びシステム並びに改良された無線ネットワーク装置を提供することである。上記課題は、独立形式の請求項により解決される。さらなる実施例は、従属形式の請求項により示される。
【国際調査報告】
2010514320.tif 000006
2010514320.tif 000007
2010514320.tif 000008
2010514320.tif 000009
2010514320.tif 000010